(57)【要約】【課題】  本発明は、心線コアと介在間、及び介在とシース間の各摩擦係数を最適に調整することにより、心線コア側での不要な応力の発生を抑制するようにした光ケーブルを提供するものである。【解決手段】  かゝる本発明は、心線コア１１０の外周に介在１２０を介してシース１３０を被覆させた光ケーブル１００Ａにおいて、心線コア１１０と介在１２０間の摩擦係数μ１が、介在１２０とシース１３０間の摩擦係数μ２より小さくしてある光ケーブルにあり、これにより、介在１２０とシース１３０間が滑り易く、外力の荷重や温度変動による膨張、収縮が介在１２０とシース１３０間で効果的に吸収される一方、心線コア１１０と介在１２０間の摩擦係数μ１が小さいことにより、心線コアの光ファイバ心線や光ファイバテープ心線側への影響が良好に抑えられる。【選択図】  図１
2006337705.tif 000002
【特許請求の範囲】
【請求項１】
心線コアの外周に介在を介してシースを被覆させた光ケーブルにおいて、前記心線コアと介在間の摩擦係数μ１が、介在とシース間の摩擦係数μ２より小さくしてあることを特徴とする光ケーブル。
【請求項２】
前記心線コアが単数又は複数本の光ファイバ心線からなることを特徴とする請求項１記載の光ケーブル。
【請求項３】
前記心線コアが単数又は複数本の光ファイバテープ心線からなることを特徴とする請求項１記載の光ケーブル。
【発明の詳細な説明】
【技術分野】
【０００１】
本発明は、心線コアと介在間、及び介在とシース間の各摩擦係数を最適に調整することにより、伝送特性の低下が良好に抑えられるようにした光ケーブルに関する。
【背景技術】
【０００２】
近年、光ケーブルの構造として、スロットレス構造のものが提案されている。スロットレス構造というのは、通常剛性に富む円柱状長尺体の長手方向に光ファイバ心線や光ファイバテープ心線を収納するためのスロット（溝）を有するスロットがない構造を意味し、小径化、可撓性などに優れた構造ということができる。
【０００３】
しかし、スロットレス構造の場合、光ファイバ心線や光ファイバテープ心線からなる心線コア部分に直接介在が接触される構造となるため、介在により、心線コア側、即ち光ファイバ心線や光ファイバテープ心線が拘束されることになる。
【発明の開示】
【発明が解決しようとする課題】
【０００４】
このため、ケーブル布設などにあたって、光ケーブルを曲げると、光ファイバ心線や光ファイバテープ心線に局部的な曲げが生じたり、微小な曲げが加わって、伝送損失が生じる恐れがある。また、光ケーブルを曲げないときでも、布設状態（延線状態）において、温度変動があると、ケーブル自体が伸縮するため、ケーブルシースに対して、線膨張率の小さい心線コア側の光ファイバ心線や光ファイバテープ心線により大きな応力（引っ張り力や圧縮力）が掛かることとなって、伝送損失、所謂マイクロベンドロスが発生するようになる。
【０００５】
ところが、従来は、このような状況に対して、有効な対策が取られていなかった。ただし、光ケーブルにおいて、光ファイバ心線などの他の構成部材との摩擦係数を求めたり、光ファイバ心線などの引留力などを求めるたりする方法（特許文献１〜２）などは、一部提案されている。
【特許文献１】特開２００５−０５５７０４号
【特許文献２】特開昭６１−０５６９３２号
【０００６】
そこで、本発明者等は、光ケーブルの構成部材間の摩擦力に着目し、構成部材間の摩擦係数を変えるなどして、種々の実験を行った結果、光ファイバ心線又は光ファイバテープ心線からなる、心線コアと介在間の摩擦係数μ１が、介在とシース間の摩擦係数μ２より小さくなる（μ１／μ２＜１）と、布設状態で光ケーブルに曲げなどの外力が加わったり、温度変動があっても、伝送特性の低下が良好に抑えられることが分った。
【０００７】
つまり、外力の負荷や温度変動があって、ケーブル自体が伸縮しても、上記μ１／μ２＜１の関係が成立すると、即ち、介在とシース間の摩擦係数μ２が、心線コアと介在間の摩擦係数μ１より大きいことにより、介在とシース間が滑り難く、介在とシース間で発生する外力の荷重や温度変動による膨張、収縮が効果的に吸収される。即ち、介在が局部的に突っ張ったり、留まったりすることを防ぐことができる。一方、心線コアと介在間の摩擦係数μ１が小さいことにより、心線コア側への影響が抑えられるからと推測される。
【０００８】
本発明は、このような新たな着想によりなされたものであり、基本的には、心線コアと介在間の摩擦係数μ１が、介在とシース間の摩擦係数μ２より小さくして（μ１／μ２＜１）、伝送特性の低下伝送特性の低下が良好に抑えられる光ケーブルを提供するものである。
【課題を解決するための手段】
【０００９】
請求項１記載の本発明は、心線コアの外周に介在を介してシースを被覆させた光ケーブルにおいて、前記心線コアと介在間の摩擦係数μ１が、介在とシース間の摩擦係数μ２より小さくしてあることを特徴とする光ケーブルにある。
【００１０】
請求項２記載の本発明は、前記心線コアが単数又は複数本の光ファイバ心線からなることを特徴とする請求項１記載の光ケーブルにある。
【００１１】
請求項３記載の本発明は、前記心線コアが単数又は複数本の光ファイバテープ心線からなることを特徴とする請求項１記載の光ケーブルにある。
【発明の効果】
【００１２】
本発明は、光ケーブルにおいて、心線コアと介在間の摩擦係数μ１が、介在とシース間の摩擦係数μ２より小さくしてあるため、布設状態で光ケーブルに曲げなどの外力が加わったり、或いは、温度変動があっても、伝送特性の低下を抑制することができる。
【発明を実施するための最良の形態】
【００１３】
図１は、本発明に係る光ケーブルの一態様を示したものである。
この光ケーブル１００Ａは、心線コア側が複数本の光ファイバ心線からなる。図中、１１０は複数本の光ファイバ心線１１１・・・からなる心線コア（例えば８心集合心線コア）、１２０は心線コア１１０の外周に設けた介在、１３０は介在１２０の外周に被覆させたシース、１４０、１４０はシース１３０の長手方向に入れた鋼線や高張力プラスチック繊維などからなるテンションメンバである。なお、心線コア１１０の光ファイバ心線数は単数とすることもできる。
【００１４】
この光ケーブル１００Ａにおいて、心線コア１１０と介在１２０間の摩擦係数μ１が、介在１２０とシース１３０間の摩擦係数μ２より小さくしてある。ここで、心線コア側、介在側及びシース側で用いる使用材料の組み合わせは、特に限定されず、結果として、μ１／μ２＜１の関係が成立していればよい。
【００１５】
例えば、通常光ファイバ心線では、最外層の樹脂材料として、紫外線硬化型樹脂を用いるため、介在材料としては、ポリプロピレンヤーンを用い、また、シース材料としては、ポリエチレン（例えばＬＬＤＰＥ）を用いて、上記関係を成立させればよい。また、各構成部材の外表面にコーテイングを施す場合には、このコーテイング材と相手部材との摩擦係数を考慮して、上記関係が成立するようにする必要がある。
【００１６】
このようにして、μ１／μ２＜１の関係が成立すると、上述したように、介在とシース間の摩擦係数μ２が、心線コアと介在間の摩擦係数μ１より大きいことにより、介在とシース間が滑り難く、介在とシース間で発生する外力の荷重や温度変動による膨張、収縮が介在とシース間で効果的に吸収される一方、心線コアと介在間の摩擦係数μ１が小さいことにより、心線コア側への影響が良好に抑えられるからと推測される。
【００１７】
図２は、本発明に係る光ケーブルの一態様を示したものである。
この光ケーブル１００Ｂは、心線コア側が複数本の光ファイバテープ心線からなる。図中、１１０は複数本の光ファイバテープ心線１１２・・・からなる心線コア（例えば３層集合心線コア）、１２０は心線コア１１０の外周に設けた介在、１３０は介在１２０の外周に被覆させたシース、１４０、１４０はシース１３０の長手方向に入れた鋼線や高張力プラスチック繊維などからなるテンションメンバである。なお、心線コア１１０の光ファイバテープ心線数は単数とすることもできる。
【００１８】
この光ケーブル１００Ｂにおいて、心線コア１１０と介在１２０間の摩擦係数μ１が、介在１２０とシース１３０間の摩擦係数μ２より小さくしてある。ここで、心線コア側、介在側及びシース側で用いる使用材料の組み合わせは、上記図１の場合と同様、特に限定されず、結果として、μ１／μ２＜１の関係が成立していればよい。
【００１９】
例えば、通常光ファイバテープ心線では、最外層の樹脂材料として、紫外線硬化型の樹脂を用いるため、介在材料としては、ポリプロピレンヤーンを用い、また、シース材料としては、ポリエチレン（例えばＬＬＤＰＥ）を用いて、上記関係を成立させればよい。また、各構成部材の外表面にコーテイングを施す場合には、このコーテイング材と相手部材との摩擦係数をを考慮して、上記関係が成立するようにする必要がある。
【００２０】
この光ケーブル１００Ｂにおいても、μ１／μ２＜１の関係が成立すると、図１の光ケーブル１００Ａと同様の作用、効果が得られる。
【００２１】
因みに、図１の光ケーブル１００Ａと同構造としたサンプルケーブルを３種類製造し、各ケーブルのμ１とμ２について、表１のように設定し、伝送損失を求めたところ、同表１の如くであった。ここで、サンプルケーブル１〜３の光ファイバ心線は１２５μｍ径の裸ガラスファイバに紫外線硬化型樹脂を被覆して２５０μｍ径としたものからなり、その８本をまとめて心線コアとした。また、介在として、サンプルケーブル１ではポリプロピレンヤーンを、サンプルケーブル２ではアラミド繊維を、サンプルケーブル３ではゴム系繊維を用い、シースとして、サンプルケーブル１ではポリエチレン（ＬＤＰＥ）を、サンプルケーブル２ではポリエチレン（ＬＬＤＰＥ）を、サンプルケーブル３ではポリエチレン（ＨＤＰＥ）を用いた。また、各サンプルケーブル１〜３の伝送損失については、波長１．５５μｍのレーザー光を用い、温度変動時における伝送損失を求めた。
【００２２】
【表１】
2006337705.tif 000003
【００２３】
上記表１から、本発明のμ１／μ２＜１の関係が成立して、μ１／μ２の値が小さいほど、伝送損失が小さくなることが分かる。言い換えれば、μ１／μ２＞１のときには、伝送損失が大きくなることが分かる。なお、外力の付加時においても、介在とシース間の摩擦係数μ２側が大きいことにより、温度変動時と同様の結果が得られることが容易に推測できる。
【図面の簡単な説明】
【００２４】
【図１】本発明に係る光ケーブルの一つの実施の形態になる縦断端面図である。
【図２】本発明に係る光ケーブルの他の実施の形態になる縦断端面図である。
【符号の説明】
【００２５】
１００Ａ〜１００Ｂ・・・光ケーブル、１１０・・・心線コア、１１１・・・光ファイバ心線、１１２・・・光ファイバテープ心線、１２０・・・介在、１３０・・・シース、１４０・・・テンションメンバ
【図１】
2006337705.tif 000004
【図２】
2006337705.tif 000005